(57)【要約】【課題】カメラの被写体の画像と液晶画面の画像とが中心で一致するよう、矩形の液晶画面の真裏の対角線の交叉した点、あるいは円形の液晶画面の真裏の中心部部分にＣＣＤカメラを設置することにより、リアル感があり、まるで、レンズを通して被写体を目視できるように、拡大された被写体を見ることができる高性能拡大装置を提供するものである。【解決手段】受け部材１上に、薄板状の液晶ディスプレー２の液晶画面２ａを、固定あるいは、起伏可能、移動可能に設け、該液晶ディスプレー２の裏面に、ＣＣＤカメラ３を設置し、該ＣＣＤカメラで撮影した被写体Ｘが、薄板状の液晶ディスプレーの液晶画面に表示されるよう構成したことを特徴とする高性能拡大装置。【選択図】　　　　図１
2004056215.tif 000002
【特許請求の範囲】
【請求項１】
受け部材（１）上に、薄板状の液晶ディスプレー（２）の液晶画面（２ａ）を、固定あるいは、起伏可能、移動可能に設け、該液晶ディスプレー（２）の裏面に、ＣＣＤカメラ（３）を設置し、該ＣＣＤカメラ（３）で撮影した被写体（Ｘ）が、薄板状の液晶ディスプレーの液晶画面（２ａ）に表示されるよう構成したことを特徴とする高性能拡大装置。
【請求項２】
受け部材（１）が、アーム（１ａ）により固定され、薄板状の液晶ディスプレー（２）を、上下方向、前後方向、左右方向に移動可能に構成したことを特徴とする請求項１記載の高性能拡大装置。
【請求項３】
ＣＣＤカメラ（３）のレンズ部（３ａ）に、接設する回転盤（４）を設け、該回転盤（４）に、異なった倍率の複数のレンズ（５）（５ａ）（５ｂ）、あるいは広角レンズ（５ｃ）を設けたことを特徴とする請求項１記載の高性能拡大装置。
【請求項４】
受け部材（１）上に、薄板状の液晶ディスプレー（２）の液晶画面（２ａ）を、固定あるいは、移動可能に設け、該液晶ディスプレー（２）の裏面に、ＣＣＤカメラ（３）を設け、該ＣＣＤカメラ（３）の周囲に光源（６）を設置し、前記ＣＣＤカメラ（３）で撮影した被写体（Ｘ）が、薄板状の液晶ディスプレーの液晶画面（２ａ）に表示されることを特徴とする高性能拡大装置。
【請求項５】
光源（６）が、蛍光灯、ＬＥＤランプから選ばれたものであることを特徴とする請求項４記載の高性能拡大装置。
【発明の詳細な説明】
【０００１】
【発明の属する技術分野】
この発明は、高性能拡大装置に関するものであり、例えば、微細な被写体を大きく拡大して見ることのできる高性能拡大装置である。
【０００２】
【従来の技術】
従来、物体を拡大するには、レンズを用いており、高齢者の視力低下や、視力弱者の視力補正には、ガラスレンズやプラスチックレンズ等の光学レンズによる補正がされてきたが、その拡大率はせいぜい３〜５倍程度が最大であった。
【０００３】
近年、電子ルーペなる発明が、特開平９−３２２０４５号公報として公開されているが、ＣＣＤカメラは表示部の角部に設けられており、極めて、画面に対して変則な画像が表示され、不便であるとともに、片手でこのルーペを持たなければならず、従来の精密機械の組立・分解作業等や植物、小動物の観察・解剖等にも利用できないか、あるいは不便なものであった。
【０００４】
【発明が解決しようとする課題】
そこでこの発明は、上記の欠点を除去し、カメラの被写体の画像と液晶画面の画像とが中心で一致するよう、矩形の液晶画面の真裏の対角線の交叉した点、あるいは円形の液晶画面の真裏の中心部部分にＣＣＤカメラを設置することにより、リアル感があり、まるで、レンズを通して被写体を目視できるように、拡大された被写体を見ることができる高性能拡大装置を提供するものである。
【０００５】
【課題を解決する為の手段】
そのため、この発明は、受け部材上に、薄板状の液晶ディスプレーの液晶画面を、固定あるいは、移動可能に設け、該液晶ディスプレーの裏面に、ＣＣＤカメラを設け、該ＣＣＤカメラで撮影した被写体が、薄板状の液晶ディスプレーの液晶画面に表示されることを特徴とする高性能拡大装置により解決しようとするものである。
【０００６】
【発明の実施の形態】
次に、この発明の一実施例を図１及び図２に従って、詳述すると、受け部材（１）上に、薄板状の液晶ディスプレー（２）の液晶画面（２ａ）を、固定あるいは、移動可能に設け、該液晶ディスプレー（２）の裏面に、ＣＣＤカメラ（３）を設け、該ＣＣＤカメラ（３）で撮影した被写体（Ｘ）が、薄板状の液晶ディスプレーの液晶画面（２ａ）に表示されることを特徴とする高性能拡大装置から構成される。
【０００７】
そして、受け部材（１）が、アーム（１ａ）により、固定され、図５に示すように、薄板状の液晶ディスプレー（２）を、上下、左右方向に移動可能に構成するものであり、さらに、図６に示すように、アーム（１ａ）自体は、三次元方向（Ｘ軸、Ｙ軸、Ｚ軸）に移動が可能となるよう構成されている。
【０００８】
さらに、ＣＣＤカメラ（３）のレンズ部（３ａ）には、図３に示すように、レンズ部（３ａ）と接設する回転盤（４）を設け、該回転盤（４）に、４倍、８倍、そして１６倍の異なった倍率の複数のレンズ（５）（５ａ）（５ｂ）、あるいは広角レンズ（５ｃ）を設けたものであり、さらに、自動焦点機能を有するＣＣＤカメラ（３）であってもよい。
【０００９】
そもそも、人が本を読む際、一度に視野に入るのは週刊誌１頁分であり、拡大率をあげると、視野の拡がりが狭くなり、そのため、最初から２〜４倍の光学レンズでの新聞などの記事を撮影し、それをデジタル処理にて１６倍、３２倍に拡大して液晶画面にあらわすと、液晶画面上の移動でスムーズに画面が読めるものである。これに、被写体（Ｘ）への操作が加わると、デジタルでのタイムラグがあり、小手術、精密機械の整備には、ＰＣチップの高性能化を待つ必要がある。アナログで得られた画像を、新しく被写体としてとあつかい、図７に示すようにデジタルにて８〜２０倍に拡大することもできる。
【００１０】
次に、この発明の他の実施例を図４に従って、詳述すると、受け部材（１）上に、薄板状の液晶ディスプレー（２）の液晶画面（２ａ）を、固定あるいは、移動可能に設け、該液晶ディスプレー（２）の裏面に、ＣＣＤカメラ（３）を設け、該ＣＣＤカメラ（３）の周囲に光源（６）を設置し、前記ＣＣＤカメラ（３）で撮影した被写体（Ｘ）が、薄板状の液晶ディスプレーの液晶画面（２ａ）に表示されることを特徴とする高性能拡大装置から構成される。
【００１１】
そして、ＣＣＤカメラ撮影時の照度を得るため、液晶画面（２ａ）の裏側に設けた光源（６）は、蛍光灯ランプ、白色ＬＥＤライトから選ばれたものである高性能拡大装置からなるものである。
【００１２】
また、ＣＣＤカメラ（３）の機能は、アナログでもデジタルでもよく、但し、ＣＣＤカメラの光軸と液晶画面の中心を一致させ、カメラと液晶画面を一体化することに特徴があるものである。
【００１３】
【発明の効果】
この発明によると、ＣＣＤカメラの被写体（Ｘ）の像が、液晶画面（１）の中心で一致するため、あたかもレンズを通して被写体（Ｘ）を目視できるような感じとなり、違和感は生じないため、小動物の観察、解剖にも役立ち、更に、精度を上げることにより、また、受け部材（１）やアーム（１ａ）により、液晶ディスプレー（２）が支持しれているため、両手が自由に使用できるため、顕微鏡手術にも使用が可能である。
【００１４】
そして、受け部材（１）上に、薄板状の液晶ディスプレー（２）の液晶画面（２ａ）を、固定あるいは、三次元方向に移動可能に設けることにより、スタンド形式となり、両手が自由に使用できるため、作業が行いやすくなる。
【００１５】
さらに、液晶画面（１）の裏面、もしくは裏面の一部にＣＣＤカメラ（３）を設置してアナログまたはデジタルにて拡大（画像処理機能により）し、あたかもレンズを透して見ることができる。また、ＣＣＤカメラ（３）の前に倍率の異なったレンズ（５）を有する回転盤（４）を置くことにより、拡大倍率を変えることができ、視野角を広角にすることも可能である。
【００１６】
また、ＣＣＤカメラ撮影時の照度を得るため、液晶画面（２ａ）の裏側に設けた光源（６）は、蛍光灯ランプ、白色ＬＥＤライトを使用するため、被写体の照度を確保できるとともに、発光時の発熱が少なく、被写体が動・植物の場合、乾燥が防げまし、消費電気を少なくする等極めて有益なる効果を奏する。
【図面の簡単な説明】
【図１】この発明の一実施例を示す側面図である。
【図２】この発明の一実施例を示す底面図である。
【図３】この発明に使用するＣＣＤカメラと回転盤との斜視図である。
【図４】この発明の他の実施例を示す底面図である。
【図５】この発明の一実施例を示す説明図である。
【図６】この発明に使用するアームの一部欠截拡大斜視図である。
【図７】この発明に使用する液晶ディスプレーの斜視図である。
【符号の説明】
１　受け部材
１ａ　アーム
２　薄板状の液晶ディスプレー
２ａ　液晶画面
３　ＣＣＤカメラ
３ａ　レンズ部
４　回転盤
５、５ａ、５ｂ　レンズ
５ｃ　広角レンズ
６　光源
Ｘ　被写体
【図１】
2004056215.tif 000003
【図２】
2004056215.tif 000004
【図３】
2004056215.tif 000005
【図４】
2004056215.tif 000006
【図５】
2004056215.tif 000007
【図６】
2004056215.tif 000008
【図７】
2004056215.tif 000009
【手続補正書】
【提出日】平成14年8月27日(2002.8.27)
【手続補正１】
【補正対象書類名】明細書
【補正対象項目名】０００９
【補正方法】変更
【補正の内容】
【０００９】
そもそも、人が本を読む際、一度に視野に入るのは週刊誌１頁分であり、拡大率をあげると、視野の拡がりが狭くなり、そのため、最初から２〜４倍の光学レンズでの新聞などの記事を撮影し、図７の如く、それをデジタル処理にてボタン操作にて８倍、１０倍、１６倍、３２倍に拡大して液晶画面にあらわすと、液晶画面上の移動でスムーズに画面が読めるものである。これに被写体（Ｘ）への操作が加わると、デジタルでのタイムラグがあり、小手術、精密機械の整備には、ＰＣチップの高性能化を持つ必要がある。アナログにて得られた２〜４倍の画像を、図７に示すようにデジタルにて８／２０倍に拡大するのがよい。


【手続補正２】
【補正対象書類名】図面
【補正対象項目名】図１
【補正方法】変更
【補正の内容】
【図１】
2004056215.tif 000010